(57)【要約】【課題】従来の検索エンジンは、キーワードによる検索結果を一覧で表示することはできたが、そのキーワードと一致する企業のホームページと当該企業の電話帳データとを、端末の同一ブラウザ内でほぼ同時に表示することには適していなかった。【解決手段】本発明のサーバは、電話帳データベースを備えたサーバであって、端末からキーワードデータを受信するキーワード受信手段と、キーワードデータを検索サイトのキーワード入力領域に送出するキーワード送出手段と、検索結果データを検索サイトから受信する検索結果データ受信手段と、検索結果データを端末のブラウザに表示するＷｅｂ展開データを端末に送出するＷｅｂ展開手段と、キーワードデータにて電話帳データベースを検索する電話帳検索手段と、電話帳検索結果データを端末のブラウザに表示する電話帳展開データを端末に送出する電話帳展開手段とを備える。【選択図】図２
2006127284.tif 000002
【特許請求の範囲】
【請求項１】
事業者の名称、電話番号、ファックス番号、インターネットホームページの
ＵＲＬその他の事業者情報を格納した電話帳データベースを備えたサーバであって、
ネットワークを介して端末からキーワードデータを受信するキーワード受信手段と、
該キーワード受信手段が受信したキーワードデータを前記ネットワークを介して検索サイトのキーワード入力領域に送出するキーワード送出手段と、
該キーワード送出手段によって送出した前記キーワードデータによる検索結果データを前記検索サイトから受信する検索結果データ受信手段と、
該検索結果データ受信手段が受信した検索結果データを前記端末のブラウザに表示するためのＷｅｂ展開データを前記端末に送出するＷｅｂ展開手段と、
前記キーワード受信手段が端末から受信した前記キーワードデータを前記事業者情報と比較して前記電話帳データベースを検索する電話帳検索手段と、
該電話帳検索手段が得た電話帳検索結果データを前記端末のブラウザに表示するための電話帳展開データを前記端末に送出する電話帳展開手段と
を備えたことを特徴とするサーバ。
【発明の詳細な説明】
【技術分野】
【０００１】
本発明は、端末において表示されるインターネット閲覧のためのブラウザのアドレス入力欄にただ一度だけ入力された検索キーワードを受信して、該キーワードにて単一または複数の検索サイトを検索した単一または複数の検索結果と、前記キーワードにて電話帳データベースを検索した検索結果とを、ほぼ同時に前記ブラウザ内に表示させることができるサーバに関する。
【背景技術】
【０００２】
従来、「ｇｏｏｇｌｅ」（登録商標）や「Ｙａｈｏｏ！」（登録商標）等の検索エンジンが知られている。特に、「Ｙａｈｏｏ！」（登録商標）では「Ｙａｈｏｏ！電話帳」なるサービスを実施して、キーワード、電話番号から企業を検索することができる。
【発明の開示】
【発明が解決しようとする課題】
【０００３】
しかしながら、従来の検索エンジンは、キーワードによる検索結果を一覧で表示することはできたが、そのキーワードと一致する企業のインターネットホームページと当該企業の電話帳データとを、端末の同一ブラウザ内でほぼ同時に表示することには適していなかった。
【課題を解決するための手段】
【０００４】
上記課題を解決するために、本発明は、事業者の名称、電話番号、ファックス番号、インターネットホームページのＵＲＬその他の事業者情報を格納した電話帳データベースを備えたサーバであって、該サーバは、ネットワークを介して端末からキーワードデータを受信するキーワード受信手段と、該キーワード受信手段が受信したキーワードデータを前記ネットワークを介して検索サイトのキーワード入力領域に送出するキーワード送出手段と、該キーワード送出手段によって送出した前記キーワードデータによる検索結果データを前記検索サイトから受信する検索結果データ受信手段と、該検索結果データ受信手段が受信した検索結果データを前記端末のブラウザに表示するためのＷｅｂ展開データを前記端末に送出するＷｅｂ展開手段と、前記キーワード受信手段が端末から受信した前記キーワードデータにて前記電話帳データベースを検索する電話帳検索手段と、該電話帳検索手段が得た電話帳検索結果データを前記端末のブラウザに表示するための電話帳展開データを前記端末に送出する電話帳展開手段とを備える構成とした。
【発明を実施するための最良の形態】
【０００５】
以下、発明の実施の形態を通じて本発明を説明する。図１は、本発明のサーバを含むネットワーク構成の一例を示す。サーバ１１は、インターネット、ＬＡＮ（ローカルエリアネットワーク）、イントラネット、専用線その他のネットワークＮを介して、パーソナルコンピュータや携帯電話端末等の端末１０と通信を行うことができる。
【０００６】
前記サーバ１１は、前記ネットワークＮを介して、インターネット上のいわゆる検索サイト１２ａ、１２ｂ、１２ｃ、・・・（以下、総称して「検索エンジン１２」と称する）を通信することができる。
【０００７】
前記サーバ１１は、その内部または通信可能な領域内に、企業の電話帳データが格納された電話帳データベース１１ａを有する。前記電話帳データは、例えば企業名、所在地、代表者氏名、電話番号、ファクシミリ番号、ホームページのＵＲＬ(Uniform Resource Locator)、電子メールアドレスその他の企業識別情報から構成されるが、これらに限定されない。
【０００８】
図２は本発明のサーバ１１のブロック図である。図３は本発明のサーバ１１のプログラム処理のフローチャートの一例を示す。図２において、ＣＰＵ１１ｂは、前記サーバ１１を制御するための中央演算処理装置である。例えば、ユーザが「ＡＢＣ株式会社」の企業情報について知りたい場合、該ユーザは、当該キーワード「ＡＢＣ株式会社」という文字列を、該ユーザの端末１０に表示されるインターネット閲覧用のブラウザ２０のアドレス入力欄２０ｃに、図示しないキーボード等の入力手段から入力する（Ｓ１０、及び図４参照）。
【０００９】
その入力された文字列は、キーワードのデータ（キーワードデータ）として前記ネットワークＮを介してサーバ１１のキーワード受信手段１１ｃによって受信される（Ｓ２０）。
【００１０】
受信された前記キーワードデータは、メモリ、ハードディスクその他の記憶手段１１ｊに格納されているインターネットホームページのアドレスデータと照合され、一致するデータの有無が検索される（Ｓ２１）。その結果、一致するアドレスデータが存在しない場合、前記キーワードデータはキーワード送出手段１１ｇに転送され、前記ネットワークＮを介して前記検索エンジン１２の図示しないキーワード入力領域に送出される（Ｓ２２）。
【００１１】
前記検索サイトでは、送出された前記キーワードデータにて検索処理が実行され、検索結果データが生成される。該検索結果データは、前記サーバ１１の検索結果データ受信手段１１ｈによって受信される。
【００１２】
その受信された前記検索結果データは、Ｗｅｂ展開手段１１ｄに転送されて適式なデータプロトコル（例えばＨＴＭＬ等）に変換された後（Ｓ２４）、前記端末１０に送出されて、前記ブラウザ２０内の一領域２０ｂに、前記検索結果として表示される（Ｓ１１）。
【００１３】
上記の一連の処理に続き、または並列に、電話帳検索手段１１ｆは、前記キーワード受信手段１１ｃが前記端末１０から受信した前記キーワードデータにて前記電話帳データベース１１ａを検索する（Ｓ２５）。
【００１４】
そして、電話帳展開手段１１ｅは、前記電話帳検索手段１１ｆが得た電話帳検索結果データ（Ｓ２６）を前記端末１０のブラウザ２０内の他の領域２０ａ内に表示するための電話帳展開データを前記端末１０に送出する（Ｓ２７）。
【００１５】
前記端末のブラウザ２０内の前記他の領域２０ａでは、前記文字列「ＡＢＣ株式会社」にて前記電話帳データベース１１ａを検索した結果の企業情報が一覧で表示される（Ｓ１２）。
【００１６】
以上の説明から明らかなように、本実施形態のサーバによれば、インターネットホームページを持っていない企業に関するキーワードで検索した場合でも、検索エンジンの検索結果、または電話帳の検索結果の少なくともいずれか一方のデータは必ず表示することができるので、ユーザにとっても利便性が格段に増す。
【００１７】
以上、本発明の実施の形態を説明したが、本発明の技術的範囲は上記実施の形態に記載の範囲には限定されない。上記実施の形態に多様な変更または改良を加えることが可能であることが当業者には明らかである。
【図面の簡単な説明】
【００１８】
【図１】本発明のサーバを含むネットワーク構成図
【図２】本発明のサーバのブロック図
【図３】本発明のサーバのプログラム処理のフローチャート図
【図４】本発明により端末のブラウザに表示される態様の一例図
【符号の説明】
【００１９】
１１  サーバ
１１ａ  電話帳データベース
１１ｃ  キーワード受信手段
１１ｄ  Ｗｅｂ展開手段
１１ｅ  電話帳展開手段
１１ｆ  電話帳検索手段
１１ｇ  キーワード送出手段
１１ｈ  検索結果データ受信手段
１２ａ、１２ｂ、１２ｃ・・・  検索サイト
２０  ブラウザ
Ｎ  ネットワーク
【図１】
2006127284.tif 000003
【図２】
2006127284.tif 000004
【図３】
2006127284.tif 000005
【図４】
2006127284.tif 000006